(57)【特許請求の範囲】
【請求項１】
送信機（１）と受信機（９）を有しており、送信機（１）が発生し、ドアのラッチ装置の影響を受ける非電気信号が電気信号への変換のために受信機（９）へ送られる、エレベータ施設の少なくとも１つのドアを監視するためのドア安全回路において、非電気信号を送信機（１）からラッチ装置（３）へ導くための手段（２）が設けられており、ラッチ装置（３）において非電気信号を導くための手段（４、７）が設けられており、非電気信号をラッチ装置（３）から受信機（９）まで導くための手段（５、８）が設けられていることを特徴とするドア安全回路。
【請求項２】
第１のドアのラッチ装置（３）が非電気信号を導くために手段（２、４、５、７、８）によって少なくとも１つの他のドアのラッチ装置（３）と直列に接続されていることを特徴とする、請求項１に記載のドア安全回路。
【請求項３】
送信機（１）が光源であり、非電気信号を導くための手段（２、４、５、７、８）が光導体であり、受信機（９）が光電素子であり、光源が発生した光が光導体によってラッチ装置（３）を介して光電素子へ導かれ、該光電素子が光を電気信号に変換することを特徴とする、請求項１又は請求項２に記載のドア安全回路。
【請求項４】
光源が定常光を放出することを特徴とする、請求項３に記載のドア安全回路。
【請求項５】
光源がパルス状の光を放出することを特徴とする、請求項３に記載のドア安全回路。
【請求項６】
光の入射側であり、ドアがしまったときに光を射出側の光導体（１８）と接触される光導体（１６）がラッチ装置（３）の可動部分（１５）に取付けられていることを特徴とする、請求項３に記載のドア安全回路。
【請求項７】
ドアがしまったとき光の入射側の光導体（１６）を光の射出側の光導体（１８）に接続する光導体ループ（２０）が、ラッチ装置（３）の可動部分（１５）に取り付けられていることを特徴とする、請求項３に記載のドア安全回路。
【請求項８】
光の入射側の光導体（１６）から出る光束（２４）を光の射出側の光導体（１８）へ向かって反射する反射器（２１）が、ラッチ装置（３）の可動部分（１５）に取り付けられていることを特徴とする、請求項３に記載のドア安全回路。
【請求項９】
光導体をチェックするために、光源が光電素子と接続可能であり、その信号が障害検出回路に供給されるそれぞれの光センサが各部分光導体片に設けられていることを特徴とする、請求項３に記載のドア安全回路。
【請求項１０】
送信機（１）が圧力源であり、非電気信号を導くための手段（２、４、５、７、８）が圧力導管であり、受信機（９）は圧力変換器であり、圧力源によって加圧された圧力媒体が圧力導管によりラッチ装置（３）を介して圧力変換器に導かれ、該圧力変換器が圧力媒体の圧力を電気信号に変換することを特徴とする、請求項１又は請求項２に記載のドア安全回路。
【請求項１１】
圧力媒体が圧縮ガスであることを特徴とする、請求項１０に記載のドア安全回路。
【請求項１２】
圧力供給側であり、ドアがしまったときに圧力送出側の圧力導管と接続される圧力導管が、ラッチ装置（３）の可動部分（１５）に取り付けられていることを特徴とする、請求項１０に記載のドア安全回路。
【請求項１３】
ドアがしまったときに圧力供給側圧力導管を圧力送出側圧力導管と接続する圧力導管ループが、ラッチ装置（３）の可動部分（１５）に取り付けられていることを特徴とする、請求項１０に記載のドア安全回路。
【請求項１４】
ドアが開いたときに挟むことによって圧力導管内の圧力の漏出を防止するピンチ装置が、ラッチ装置（３）の可動部分（１５）に取り付けられていることを特徴とする、請求項１０に記載のドア安全回路。
【請求項１５】
圧力導管をチェックするために、圧力源が圧力変換器と接続可能であり、その信号が障害検出回路に供給される圧力センサが各部分圧力導管片に設けられていることを特徴とする、請求項１０に記載のドア安全回路。
【請求項１６】
送信機（１）が音源であり、非電気信号を導くための手段（２、４、５、７、８）が音響導体であり、受信機（９）が音響変換器であり、音源が発生する機械的な波が音の形態で音響導管によってラッチ装置（３）を介して音響変換器へ導かれ、該音響変換器が音を電気信号に変換することを特徴とする、請求項１又は請求項２に記載のドア安全回路。
【請求項１７】
音源が定常音を放出することを特徴とする、請求項１６に記載のドア安全回路。
【請求項１８】
音源がパルス状の音を放出することを特徴とする、請求項１６に記載のドア安全回路。
【請求項１９】
音を内部に導き、ドアがしまったとき音を外部へ導く音響導管と接続される音響導管がラッチ装置（３）の可動部分（１５）に取り付けられていることを特徴とする、請求項１６に記載のドア安全回路。
【請求項２０】
ドアがしまったとき音導入音響導管を音導出音響導管と接続する音響導管ループが、ラッチ装置（３）の可動部分（１５）に取り付けられていることを特徴とする、請求項１６に記載のドア安全回路。
【請求項２１】
ドアが開いたときに挟むことによって音響導管からの音の漏出を防止するピンチ装置がラッチ装置（３）の可動部分（１５）に取り付けられていることを特徴とする、請求項１６に記載のドア安全回路。
【請求項２２】
音響導管をチェックするために、音源が音響変換器と接続されており、その信号が障害検出回路に供給されるそれぞれの音響センサが各部分音響導管片に設けられていることを特徴とする、請求項１６に記載のドア安全回路。
【請求項２３】
送信機（１）が圧力源であり、非電気信号を導くための手段（２、４、５、７、８）が圧力導管であり、受信機（９）がバリアであって、圧力源によって加圧された圧力媒体が圧力導管によって、ラッチ装置（３）を介して物体をバリアまで移動し、該バリアが物体の通過を電気信号に変換することを特徴とする、請求項１又は請求項２に記載のドア安全回路。
【請求項２４】
物体が球であることを特徴とする、請求項２３に記載のドア安全回路。
【請求項２５】
物体が円柱であることを特徴とする、請求項２３に記載のドア安全回路。
【請求項２６】
圧力媒体供給側であり、ドアがしまったとき圧力媒体送出側の圧力導管と接続される圧力導管が、ラッチ装置（３）の可動部分（１５）に取り付けられていることを特徴とする、請求項２３に記載のドア安全回路。
【請求項２７】
ドアがしまったときに圧力媒体供給側圧力導管を圧力媒体送出側圧力導体と接続する圧力導管ループが、ラッチ装置（３）の可動部分（１５）に取り付けられていることを特徴とする、請求項２３に記載のドア安全回路。
【請求項２８】
ドアが開いたときに挟むことによって物体の通過を防止するピンチ装置が、ラッチ装置（３）の可動部分（１５）に取り付けられていることを特徴とする、請求項２３に記載のドア安全回路。
【請求項２９】
圧力導管および物体の通過をチェックするために、圧力源がバリアと接続可能であり、その信号が障害検出回路に供給される通過センサが各圧力導管片に設けられていることを特徴とする、請求項２３に記載のドア安全回路。
【発明の詳細な説明】
【０００１】
【産業上の利用分野】
本発明はエレベータ施設の少なくとも１つのドアを監視するためのドア安全回路に関する。該回路は送信機と受信機を有しており、送信機が発生し、ドアのラッチ装置の影響を受ける非電気信号が電気信号への変換のために受信機へ送られる。
【０００２】
【従来の技術】
安全回路は仏国特許FR 1 432 651号の明細書から周知であり、該明細書には光電装置によって監視されるドア・ラッチが開示されている。光電装置の光源から放射される光束は、ドア・ラッチがいくつかの設定を表示している場合、光センサに到達し、その電気信号がエレベータ制御装置に渡される。
【０００３】
【発明が解決しようとする課題】
周知の装置の欠点は、ラッチの作動のたびにショックを受け、これによって過剰な応力にさらされる送信機および受信機が障害しやすいところである。
【０００４】
【課題を解決するための手段】
本発明は救済策をもたらす。本発明は特許請求の範囲に記載するように、周知の装置の欠点を回避し、ドアのラッチ装置を送信機および受信機による非電気信号によって監視可能である安全回路を構成するという問題を解決する。
【０００５】
本発明によって達成される利点は実質的に、本発明による安全回路が正常な環境条件の場所だけではなく、湿度の高い場所や爆発の危険のある場所でも使用可能なところにある。これによってドア安全回路を標準化することができ、部品の製造、組立て、保守および交換に関するコストをかなり節減できる。他の利点は各階の障害分析ならびに予防保守作業をより良好に行えることにある。さらに、本発明による安全回路は電磁干渉の影響を受けにくい。
【０００６】
【実施例】
図１ないし図６において、非電気信号を発生する送信機が１で示されており、この非電気信号は第１部分導体片２から第１の図示していないドアのラッチ装置３へ導かれる。第１のドアのラッチ装置３の図示の作動位置において、非電気信号は第１のドアのラッチ装置３に配置されている第２部分導体片４によって、第３の部分導体片５に導かれ、この導体片５によって、第２の図示されていないドアのラッチ装置３へ導かれる。第２のドアのラッチ装置３の図示の休止位置において、非電気信号は第２のドアのラッチ装置３に配置されている第４の部分導体片７によって第５の部分導体片８へ導かれることがないので、この導体片８は非電気信号を受信機９へ流すことがない。図示の構成において、エレベータ施設は２つのドアを示している。ドアが３つ以上のエレベータ施設の場合には、追加のドアのラッチ装置は追加の部分導体片によって直列に接続される。送信機１、受信機９、部分導体片２、４、５、７および８をチェックするために、直結導体１０が送信機１と受信機９をテストするために、またセンサ１１、１２および１３が部分導体片２、４、５、７および８をテストするためにそれぞれ設けられている。各部分導体片に対して、それぞれのセンサ１１、１２、１３が設けられており、その信号が障害検出回路１４に供給される。各階での障害検出ならびに安全回路の予防保守作業は、障害検出回路１４によってかなり容易なものとなる。
【０００７】
図１に示した安全回路の実施例の第１の改変形を図２ないし図６に示す。光源が送信機として設けられ、光導体が非電気信号を導くための手段として設けられ、電気フィルタ素子が受信機として設けられており、受信機は定常光の形態の非電気信号を電気信号に変換する。
【０００８】
図２において、入射側光導体１６は、作動状態で示されているラッチ装置３の可動部分１５に取り付けられており、射出側光導体１８はラッチ装置の固定部分１７に取り付けられている。光導体１６および１８の端部は、入射側の光導体１６から出る光が射出側の光導体１８に入るような向きと間隔になされている。ドアが開くと、ラッチ装置３の可動部分１５がピボット点１９を中心としてピボット運動し、入射側の光導体１６からの光が射出側の光導体１８へ伝わらないようになる。
【０００９】
図３において、入射側の光導体１６および射出側の光導体１８はラッチ装置３の固定部分１７に取り付けられている。光導体ループ２０はラッチ装置３の可動部分１５上で、光導体１６および１８が図示の作動位置において光学的に接続されるように構成されている。
【００１０】
光導体によって直列に接続されているラッチ装置３が、図４に示されている。作動状態で示されているラッチ装置３はその光導体ループ２０によって、部分導体片を光学的に接続し、すべてのラッチ装置３による光通路が作成され、ドア安全回路はすべてのドアがしまっていると報告する。
【００１１】
図５および図６に、反射器２１を備えた実施例の改変形を示す。反射器はラッチ装置３に取り付けられており、たとえば、クロムめっき合成材料製であって、第１フォトダイオード２３による送信機２２がパルス状の光を放出し、この光は入射側の光導体１６によって反射器２１へ導かれる。入射側の光導体１６へ入射し、これから放出される光束２４は反射器２１によって偏向されて、放出され、光導体１８が受け取る光束２５となる。該光導体１８は光を放出し、次のラッチ装置３の反射器２１へ向けて光を導く。安全回路内で直列に接続されているラッチ装置のすべての反射器２１によって導かれた後、光は第２フォトダイオード２６、増幅器２７および変圧器２８によって電気制御信号に変換される。
【００１２】
各ラッチ装置３に関し、図示されていない光センサがそれぞれに設けられている。これらのセンサは光束を監視し、その信号は図示されていない障害検出回路に送られ、この回路はすべてのラッチ装置３のスイッチ状態を監視するとともに、この状態を障害分析ならびに予防保守作業のために評価する。
【００１３】
図１に示した安全回路の実施例の第２の改変形において、圧力源が送信機として設けられており、圧力導管が非電気信号の導体として設けられており、圧力変換器が受信機として設けられている。この改変形において、圧力源によって加圧された圧力媒体、たとえば、ガスが圧力導管によってラッチ装置３を介して、圧力変換器に送られ、該圧力変換器は圧力媒体の圧力を電気信号に変換する。圧力媒体は供給側であり、ドアがしまったときに、媒体の送出側の圧力導体と接続される圧力導管は、ラッチ装置３の可動部分１５に取り付けられている。ドアがしまったとき圧力媒体供給側圧力導管を圧力媒体送出側圧力導管と接続する圧力導管ループを、圧力媒体供給側圧力導管の代りにラッチ装置３の可動部分１５に取り付けることもできる。ドアが開いたとき、挟みつけることによって圧力導管から圧力が抜けるのを防止するピンチ装置を、圧力媒体供給側圧力導管の代りにラッチ装置３の可動部分１５に取り付けることもできる。
【００１４】
各ラッチ装置３に関し、圧力センサがそれぞれに設けられている。これらのセンサは圧力を監視し、その信号は障害検出回路に送られ、この回路はすべてのラッチ装置３のスイッチ状態を監視するとともに、この状態を障害分析ならびに予防保守作業のために評価する。
【００１５】
図１に示した安全回路の第３の改変形において、音源が送信機として設けられており、音響導管が非電気信号の導体として設けられており、音響変換器が受信機として設けられている。この改変形において、定常音またはパルス状の音の形態で音源が発生した機械的な波は音響導管によってラッチ装置３を介して、音響変換器へ導かれる。該音響変換器は音を電気信号に変換する。音を導入し、ドアがしまったときに、音を送出する音響導管と接続される音響導管が、ラッチ装置３の可動部分１５に取り付けられている。ドアがしまったときに音導入音響導管を音送出音響導管と接続する音響導管ループを、音導入音響導管の代りに、ラッチ装置３の可動部分１５に取り付けることもできる。ドアが開いたとき、挟みつけることによって、音響導管から音が漏れるのを防止するピンチ装置を、音導入音響導管の代りに、ラッチ装置３の可動部分１５に取り付けることもできる。
【００１６】
各ラッチ装置３に関して、音響センサがそれぞれに設けられている。これらのセンサは圧力を監視し、その信号は障害検出回路に送られ、この回路はすべてのラッチ装置３のスイッチ状態を監視するとともに、この状態を障害分析ならびに予防保守作業のために評価する。
【００１７】
図１に示した安全回路の実施例の第４の改変形において、圧力源が送信機として設けられており、圧力導管が非電気信号の導体として設けられており、バリアが受信機として設けられている。この改変形において、圧力源によって加圧されている圧力媒体が、たとえば、球や円筒などの物体を圧力導管によってラッチ装置３を介してバリアへ移動する。バリアは物体の通過を電気信号に変換する。圧力媒体の供給側であり、ドアがしまったとき媒体の送出側の圧力導管と接続される圧力導管が、ラッチ装置３の可動部分１５に取り付けられている。ドアがしまったとき、圧力媒体供給側圧力導管を圧力媒体送出側圧力導管と接続する圧力導管ループを、圧力媒体供給側圧力導管の代りに、ラッチ装置３の可動部分１５に取り付けることもできる。ドアが開いたとき、挟むことによって物体の通過を防止するピンチ装置を圧力媒体供給側圧力導管の代りに、ラッチ装置３の可動部分１５に取り付けることもできる。
【００１８】
各ラッチ装置３に関し、通過センサがそれぞれ設けられている。これらのセンサは圧力を監視し、その信号は障害検出回路に送られ、この回路はすべてのラッチ装置３のスイッチ状態を監視するとともに、この状態を障害分析ならびに予防保守作業のために評価する。
【００１９】
【発明の効果】
【図面の簡単な説明】
【図１】本発明による安全回路の概略図である。
【図２】光導体を備えたラッチ装置の図である。
【図３】光導体ループを備えたラッチ装置の図である。
【図４】光導体によって直列に接続されたラッチ装置の図である。
【図５】ラッチ装置に配置された、光束を反射するための反射器を備えた安全回路の図である。
【図６】図５による安全回路の詳細図である。
【符号の説明】
１、２２  送信機
２  第１部分導体片
３  ラッチ装置
４  第２部分導体片
５  第３部分導体片
７  第４部分導体片
８  第５部分導体片
９  受信機
１０  直結導体
１１、１２、１３  センサ
１４  障害検出回路
１５  可動部分
１６  入側光導体
１７  固定部分
１８  出側光導体
１９  ピボット点
２０  光導体ループ
２１  反射器
２３  第１フォトダイオード
２４、２５  光束
２６  第２フォトダイオード
２７  増幅器
２８  変圧器
【図１】
0003681419.tif 000002
【図２】
0003681419.tif 000003
【図３】
0003681419.tif 000004
【図４】
0003681419.tif 000005
【図５】
0003681419.tif 000006
【図６】
0003681419.tif 000007